(57)【特許請求の範囲】
【請求項１】
基地局および複数の移動局からなるディジタル移動通信システムにおいて、
前記基地局は、固定の周波数で制御チャネルを常時送信すると共に同一または他の固定の周波数で複数の通話チャネルを必要時に送信し、
前記移動局は、常時送信される前記制御チャネルおよび必要時に送信される前記通話チャネルを各々間欠的に受信すべく、常時送信される前記制御チャネルの間欠受信時に同期の獲得および保持を行い、必要時に送信される前記通話チャネルの間欠受信時にキャリアの有無を判定し、キャリア有の場合には受信を開始することを特徴とする受信方法。
【請求項２】
基地局および複数の移動局からなるディジタル移動通信システムにおいて、
前記基地局は、固定の周波数で制御チャネルを定常間欠送信すると共に同一または他の固定の周波数で複数の通話チャネルを必要時に送信し、
前記移動局は、定常間欠送信される前記制御チャネルおよび必要時に送信される前記通話チャネルを各々間欠的に受信すべく、定常間欠送信される前記制御チャネルの間欠受信時に同期の獲得および保持を行い、必要時に送信される前記通話チャネルの間欠受信時にキャリアの有無を判定し、キャリア有の場合には受信を開始することを特徴とする受信方法。
【発明の詳細な説明】
【０００１】
【発明の属する技術分野】
本発明は、ディジタル移動通信システムを構成する移動局のバッテリーの消耗を低減できる受信方法に関する。
【０００２】
【従来の技術】
従来、この種の受信方法として、必要時に送信される通話チャネルを一定の周期で間欠受信し、キャリア（搬送波）の有無で通話開始を検出する方法がある。図４は、そのような従来の受信方法を説明するためのタイミングチャート図である。同図（ａ）は基地局側の動作を示しており、ある一定の周期でキャリアＦ１の制御チャネルを送信している。
【０００３】
同図（ｂ）は移動局の動作を示しており、待ち受け状態ＳＴＢＹから一定の周期ｔ１で制御チャネルを受信し、その際にキャリアがあれば同期捕捉を行い通信状態に入る。キャリアが無ければ待ち受け状態に戻り、間欠受信することで受信を行っている。
【０００４】
【発明が解決しようとする課題】
ところで、前述した従来の受信方法では、呼出信号の受信の際に、信号の内容を解析する必要があるため、消費電力の大きい信号処理部などを駆動する必要があり、全体的に消費電力が大きくなるという課題があった。
【０００５】
また、非常送の場合は、すなわち呼接続シーケンスがないプレストーク通話を行う場合は、受信開始時の同期捕捉時間ｔ２等が話頭切断につながるという課題があった。逆に話頭切断を緩和しようとすると、通話チャネルの受信を頻繁に行わなければならないため、バッテリーセービング効率が低下するという課題があった。
【０００６】
本発明は、このような従来の課題を解決するためになされたもので、ディジタル移動通信システムにおいて、移動局のバッテリーの消耗を低減できる受信方法を提供することを目的とする。
【０００７】
【課題を解決するための手段】
本発明の受信方法においては、基地局および複数の移動局からなるディジタル移動通信システムであって、基地局は固定の周波数で制御チャネルを常時送信すると共に同一または他の固定の周波数で複数の通話チャネルを必要時に送信し、移動局は常時送信される制御チャネルおよび必要時に送信される通話チャネルを各々間欠的に受信するものである。
【０００８】
本発明によれば、基地局は下り制御チャネルを常時送信し、通話チャネルを必要時送信し、移動局は制御チャネルと通話チャネルを各々独立に間欠受信することで、移動局のバッテリーの消耗を低減できる受信方法が得られる。
【０００９】
【発明の実施の形態】
本発明の請求項１に記載の受信方法は、基地局および複数の移動局からなるディジタル移動通信システムにおいて、基地局は、固定の周波数で制御チャネルを常時送信すると共に同一または他の固定の周波数で複数の通話チャネルを必要時に送信し、移動局は、常時送信される制御チャネルおよび必要時に送信される通信チャネルを各々間欠的に受信すべく、常時送信される制御チャネルの間欠受信時に同期の獲得および保持を行い、必要時に送信される通話チャネルの間欠受信時にキャリアの有無を判定し、キャリア有の場合には受信を開始するものである。
【００１０】
本発明によれば、移動局は基地局から常時送信されている制御チャネルに対して間欠受信を行って同期の獲得および保持を行い、次にプリアサインされている周波数で通話チャネルの間欠受信を行い、キャリアがあれば通信に入り、キャリアがなければ待ち受け状態に戻り、各々設定された周期毎に繰り返し間欠受信を行うことでバッテリーセービングを実現するという作用を有する。
【００１３】
請求項２に記載の受信方法は、基地局および複数の移動局からなるディジタル移動通信システムにおいて、基地局は、固定の周波数で制御チャネルを定常間欠送信すると共に同一または他の固定の周波数で複数の通話チャネルを必要時に送信し、移動局は、定常間欠送信される制御チャネルおよび必要時に送信される通話チャネルを各々間欠的に受信すべく、定常間欠送信される制御チャネルの間欠受信時に同期の獲得および保持を行い、必要時に送信される通話チャネルの間欠受信時にキャリアの有無を判定し、キャリア有の場合には受信を開始するものである。
【００１４】
本発明によれば、移動局は基地局から常時間欠送信されている制御チャネルに対して間欠受信を行って同期の獲得および保持を行い、次にプリアサインされている周波数で通話チャネルの間欠受信を行い、キャリアがあれば通信に入り、キャリアがなければ待ち受け状態に戻り、各々設定された周期毎に繰り返し間欠受信を行うことでバッテリーセービングを実現するという作用を有する。
【００１７】
以下、本発明の実施の形態について、図面を用いて説明する。
【００１８】
（実施の形態１）
図１は、本発明が適用されるディジタル移動通信システムのブロック図で、基地局１と移動局２との間で、制御チャネル３と通話チャネル４とが送受信される状態を示している。制御チャネル３は基地局１からキャリアＦ１で常時送信され、通話チャネル４は基地局１からキャリアＦ２で必要時に送信される。
【００１９】
次に、図２に示すタイミングチャート図と、図３に示すフローチャート図とを用いて、移動局２における受信方法について説明する。
【００２０】
図２（ａ）は基地局１から常時送信されるキャリアＦ１の制御チャネル３を示し、図２（ｂ）は基地局１から必要時に送信されるキャリアＦ２の通話チャネル４を示し、図２（ｃ）は移動局２の受信動作を示している。
【００２１】
移動局２は、（ｃ）に示すように、基地局１から常時送信されるキャリアＦ１の制御チャネル３に対して周期Ｔ１で間欠受信を行い、同期の獲得および保持を行う（ステップＳ１，Ｓ２）。
【００２２】
また、受信周波数をキャリアＦ１からプリアサインされているキャリアＦ２に変え、通話チャネル４に対して周期Ｔ２（Ｔ２＜Ｔ１）で間欠受信を行う（ステップＳ３）。キャリアＦ２があれば（ステップＳ４）、通信状態に入り（ステップＳ５）、通話終了後（ステップＳ６）、制御チャネル３の間欠受信に戻る（ステップＳ１）。
【００２３】
キャリアＦ２がなければ（ステップＳ４）、待ち受け状態ＳＴＢＹに戻り、これらの動作を各々設定された周期Ｔ２，Ｔ１ごとに繰り返し（ステップＳ７，Ｓ８）、間欠受信を行う。これによりバッテリーセービングを実現する。
【００２４】
なお、以上の説明は、制御チャネルが常時送信されるＳＣＰＣ（Single Channel Per Carrier System ）方式についての説明であるが、定常間欠送信のＳＣＰＣ方式であってもよい。また、他のＦＤＭＡ（Frequency Division Multiple Access）方式や、ＴＤＭＡ（Time Division Multiple Access ）方式についても同様なバッテリーセービングが実施可能である。
【００２５】
【発明の効果】
以上のように本発明によれば、移動局は制御チャネルの間欠受信で同期の獲得および保持を行いつつ、通話チャネルの間欠受信時にキャリア検出によって通話開始の契機を得ることで、通話チャネルの同期獲得を即時化または高速化することが可能な受信方法が得られるという効果がある。
【図面の簡単な説明】
【図１】本発明が適用されるディジタル移動通信システムのブロック図
【図２】基地局および移動局の動作を説明するためのタイミングチヤート図
【図３】移動局の動作を説明するためのフローチャート図
【図４】従来の受信方法を説明するためのタイミングチャート図
【符号の説明】
１  基地局
２  移動局
３  制御チャネル
４  通話チャネル
Ｔ１  制御チャネルの間欠受信間隔
Ｔ２  通話チャネルの間欠受信間隔
【図１】
0004254981.tif 000002
【図２】
0004254981.tif 000003
【図３】
0004254981.tif 000004
【図４】
0004254981.tif 000005